(57)【要約】【課題】　ＡＴＭテーブルを用いてチャンネルを設定する際、ＯＳＤメニューで所望の放送局を指定するだけでチャンネルが設定されるため、煩わしいチャンネル設定過程を必要としないチャンネル設定が容易な映像ディスプレイ装置を提供する。【解決手段】　既に保存されたチャンネル情報に基づきチャンネル設定が容易な映像ディスプレイ装置において、チャンネル情報を保存するチャンネル情報保存部、チャンネル情報保存部に保存されたチャンネル情報に基づき構成されたＯＳＤメニューをディスプレイするＯＳＤ表示部及びＯＳＤメニューにディスプレイされたメニュー項目を照会して変更されたチャンネル情報でチャンネル情報保存部に保存されたチャンネル情報をアップデートする制御部を有する。【選択図】　　　図４
2004129263.tif 000002
【特許請求の範囲】
【請求項１】
　既に保存されたチャンネル情報に基づいてチャンネル設定が容易な映像ディスプレイ装置において、
　前記チャンネル情報を保存するチャンネル情報保存部と、
　前記チャンネル情報保存部に保存されたチャンネル情報に基づいて構成されたＯＳＤメニューをディスプレイするＯＳＤ表示部と、
　前記ＯＳＤメニューにディスプレイされたメニュー項目を照会して変更されたチャンネル情報に前記チャンネル情報保存部に保存されたチャンネル情報をアップデートする制御部とを含むことを特徴とするチャンネル設定が容易な映像ディスプレイ装置。
【請求項２】
　前記ＯＳＤ表示部によってディスプレイされる前記ＯＳＤメニューは、
　前記チャンネル情報に対応する放送チャンネルをディスプレイする放送チャンネル表示メニューと、
　前記放送チャンネル表示メニューを選択及び解除するためのチェックボックスメニューとを含むことを特徴とする請求項１に記載のチャンネル設定が容易な映像ディスプレイ装置。
【請求項３】
　前記ＯＳＤメニューは、前記放送チャンネルに対応する周波数をディスプレイするための周波数表示メニューをさらに含むことを特徴とする請求項２に記載のチャンネル設定が容易な映像ディスプレイ装置。
【請求項４】
　前記ＯＳＤメニューは、
　前記放送チャンネルに対応するチャンネル番号をディスプレイするためのチャンネルメニューをさらに含むことを特徴とする請求項３に記載のチャンネル設定が容易な映像ディスプレイ装置。
【請求項５】
　前記チャンネルメニューは、ユーザによって任意のチャンネル番号を付与できることを特徴とする請求項４に記載のチャンネル設定が容易な映像ディスプレイ装置。
【請求項６】
　前記放送チャンネルは、ＰＡＬ方式によって伝送されることを特徴とする請求項５に記載のチャンネル設定が容易な映像ディスプレイ装置。
【請求項７】
　前記チャンネル情報は、ＡＴＭテーブルに基づいたチャンネル及び関連情報であることを特徴とする請求項６に記載のチャンネル設定が容易な映像ディスプレイ装置。
【請求項８】
　既に保存されたチャンネル情報に基づいてチャンネル設定が可能な映像ディスプレイ装置のチャンネル設定方法において、
　前記保存されたチャンネル情報に基づいて構成されたＯＳＤメニューをディスプレイする段階と、
　前記ＯＳＤメニューにディスプレイされたメニュー項目を照会して変更されたチャンネル情報に前記保存されたチャンネル情報をアップデートする段階とを含むことを特徴とする映像ディスプレイ装置のチャンネル設定方法。
【請求項９】
　前記ＯＳＤメニューにディスプレイする段階は、
　前記チャンネル情報に対応する放送チャンネル表示メニューと、
　前記ディスプレイされた放送チャンネルを選択/解除を選択するためのチェックボックスメニューとを含むことを特徴とする請求項８に記載の映像ディスプレイ装置のチャンネル設定方法。
【請求項１０】
　前記ＯＳＤメニューは、前記放送チャンネルに対応する周波数をディスプレイするための周波数表示メニューをさらに含むことを特徴とする請求項９に記載の映像ディスプレイ装置のチャンネル設定方法。
【請求項１１】
　前記ＯＳＤメニューは、前記放送チャンネルに対応するチャンネル番号をディスプレイするためのチャンネルメニューをさらに含むことを特徴とする請求項１０に記載の映像ディスプレイ装置のチャンネル設定方法。
【発明の詳細な説明】
【技術分野】
【０００１】
　本発明は映像ディスプレイ装置に係り、さらに詳しくはチャンネル設定が容易な映像ディスプレイ装置及び方法に関する。
【背景技術】
【０００２】
　一般に、ＴＶのような映像ディスプレイ装置が受信可能なチャンネルの増加に伴って、視聴者が一々チャンネルの番号を入力及び記憶させて使用することが次第に難しくなっている。従って、通常の映像ディスプレイ装置は視聴者がチャンネルを簡便に検索し保存するようにするため映像ディスプレイ装置が受信可能な周波数領域についてオートスキャニングし、検索されたチャンネルを保存することによってこのような問題点を部分的に解決している。一方、ＰＡＬ方式を使用するヨーロッパ地域では受信可能な放送チャンネルに対する情報を映像ディスプレイ装置に内蔵し、内蔵された情報のうち一部を視聴者が選択するようにするＡＴＭ(Auto　Tuning　Manegement)方式を使用する場合もある。
【０００３】
　図１Ａは従来のオートスキャニング方法を説明するためのＯＳＤ画面を示す図である。図示されたＯＳＤ画面は、映像ディスプレイ装置１０に取付けられたメニューキー１１に応答して画面１２にディスプレイされたもので、チャンネルメニュー２１、画質メニュー２２、サウンドメニュー２３、及びその他メニュー２４のような下位メニュー２１〜２４を有する。ディスプレイされた下位メニューの設定キー３１ａ、３１ｂを押下してチャンネルメニュー２１を選択し方向設定キー３２ｂを押下すれば、図１Ｂに示された通り、映像ディスプレイ装置１０が受信可能な全てのチャンネルを検索する。例えば映像ディスプレイ装置が１番から１００番までのチャンネルを受信できれば、これらチャンネルを順番に検索して受信可能なチャンネルを探し出して別のメモリ(図示せず)に保存する。保存されたチャンネルは、以降視聴者がチャンネルアップダウンキー３１ａ、３１ｂを押下してチャンネルを変更する際、検索された順序通り呼出される。一方、このようなチャンネル検索方法は視聴者が所望するか否かを問わず全てのチャンネルが順序通り呼出されるため、視聴者は所望のチャンネルを選局するためには所望のチャンネルが出てくるまでチャンネルアップダウンキー３１ａ、３１ｂを押下すべきである。
【０００４】
　図２はＡＴＭテーブルの一例を示す図である。ＡＴＭテーブルはドイツ地域の放送チャンネルをチャンネル番号によって順序通り羅列した図である。このようなＡＴＭテーブルがＯＳＤ画面にディスプレイされる際、視聴者は別にオートスキャニングしてチャンネルを検索する必要がない。例えば、視聴者がリモコン装置(図示せず)上に具備されるチャンネルアップダウンキー(図示せず)を押下すればＡＴＭテーブルに記載された順序通りチャンネルが変更される。また、ＡＴＭテーブルに記載された放送チャンネル(例えば、ＡＲＤ、ＺＤＦ、ＲＴＬなど)は視聴者によって変更可能である。
【０００５】
　図３は図２に示したＡＴＭテーブルを用いてチャンネルを設定する方法を説明するための図であって、映像ディスプレイ装置の画面６０に具現されたＯＳＤメニューでＡＴＭメニュー４０を選択する際ディスプレイされる画面を示す。
【０００６】
　ＡＴＭメニュー４０は国家設定メニュー４１、チャンネル設定メニュー４２を有する。国家設定メニュー４１は視聴者が何れの国家のＡＴＭテーブルを呼出すかを選択する。視聴者が国家設定メニュー４１においてドイツを選択すれば、図２に示したＡＴＭテーブルに基づきチャンネルを選択及び編輯することができる。例えば、チャンネル設定メニュー４２でチャンネルアップダウンキー５１ａ、５１ｂを押下して放送チャンネル(例えば、ＡＲＤ〜ＭＤＲ３)及び放送チャンネルによるチャンネル番号(例えば０１〜９９)を設定できる。一方、示された通り、ＡＴＭテーブルに基づき、放送チャンネル(ＡＲＤ〜ＭＤＲ３)がチャンネルアップダウンキー５１ａ、５１ｂによってチャンネル設定メニュー４２に順次にディスプレイされ、これらを選択キー５３によって一々選択した後記録/削除すべきなので、チャンネル設定が極めて不便である。すなわち、ＡＴＭテーブルによってチャンネルを設定する方法は図１Ａと図１Ｂに示したオートスキャニングに比べて、チャンネルを検索する時間だけ多少短縮するだけ、根本的にはオートスキャニングによるチャンネル設定と同じく視聴者がＯＳＤ画面に順次に一つずつ表示される放送チャンネルを見てチャンネルの選択、記録/削除を行なうべき問題点がある。
【発明の開示】
【発明が解決しようとする課題】
【０００７】
　本発明は前述した問題点を解決するために案出されたもので、その目的はチャンネル設定が容易な映像ディスプレイ装置及び映像ディスプレイ装置のチャンネル設定方法を提供するところにある。
【課題を解決するための手段】
【０００８】
　前述した技術的課題を解決するため、本発明に係るチャンネル設定の容易な映像ディスプレイ装置は、既に保存されたチャンネル情報に基づきチャンネル設定の容易な映像ディスプレイ装置において、チャンネル情報を保存するチャンネル情報保存部、チャンネル情報保存部に保存されたチャンネル情報に基づき構成されたＯＳＤメニューをディスプレイするＯＳＤ表示部及びＯＳＤメニューにディスプレイされたメニュー項目を照会して変更されたチャンネル情報にチャンネル情報保存部に保存されたチャンネル情報をアップデートする制御部を有する。
【０００９】
　望ましくは、ＯＳＤ表示部によってディスプレイされるＯＳＤメニューは、チャンネル情報に対応する放送チャンネルをディスプレイする放送チャンネル表示メニュー及び放送チャンネル表示メニューを選択及び解除するためのチェックボックスメニューを含む。
【００１０】
　望ましくは、ＯＳＤメニューは放送チャンネルに対応する周波数をディスプレイするための周波数表示メニューをさらに含む。
【００１１】
　望ましくは、ＯＳＤメニューは放送チャンネルに対応するチャンネル番号をディスプレイするためのチャンネルメニューをさらに含む。
【００１２】
　望ましくは、チャンネルメニューは視聴者によって任意のチャンネル番号を付与可能である。望ましくは、放送チャンネルはＰＡＬ方式によって伝送される。望ましくは、チャンネル情報はＡＴＭテーブルに基づいたチャンネル及び関連情報である。
【００１３】
　前述したような技術的課題を解決するための本発明の映像ディスプレイ装置のチャンネル設定方法は、既に保存されたチャンネル情報に基づきチャンネル設定が可能な映像ディスプレイ装置のチャンネル設定方法において、保存されたチャンネル情報に基づき構成されたＯＳＤメニューをディスプレイする段階及びＯＳＤメニューにディスプレイされたメニュー項目を照会して変更されたチャンネル情報に保存されたチャンネル情報をアップデートする段階を有する。
【００１４】
　望ましくは、ＯＳＤメニューにディスプレイする段階は、チャンネル情報に対応する放送チャンネル表示メニュー及びディスプレイされた放送チャンネルを選択/解除を選択するためのチェックボックスメニューを含む。
【００１５】
　望ましくは、ＯＳＤメニューは放送チャンネルに対応する周波数をディスプレイするための周波数表示メニューをさらに含む。
【００１６】
　望ましくは、ＯＳＤメニューは放送チャンネルに対応するチャンネル番号をディスプレイするためのチャンネルメニューをさらに含む。
【発明の効果】
【００１７】
　本発明に係るチャンネル設定が容易な映像ディスプレイ装置は、ＡＴＭテーブルを用いてチャンネルを設定時、ＯＳＤメニューで所望の放送局を指定するだけでチャンネル設定がなされるため煩わしいチャンネル設定過程を必要とせず、チャンネル設定時かかる時間が従来に比べて短縮される。
【発明を実施するための最良の形態】
【００１８】
　以下、添付した図面に基づき本発明をさらに詳述する。
【実施例】
【００１９】
　図４は本発明に係る望ましい実施の形態を示したブロック概念図である。映像ディスプレイ装置は、チューナ１１０、信号処理部１２０、スピーカ１３０、画面１４０、及び制御部１５０を有する。チューナ１１０は所定の放送チャンネルを選択する。
【００２０】
　信号処理部１２０はチューナによって選択された放送チャンネルをプロセッシングして音声信号及び映像信号を生成し、これを画面１３０とスピーカ１４０に伝送する。
【００２１】
　制御部１５０は映像ディスプレイ装置を全般的に制御する。例えば、リモコン装置(図示せず)や映像ディスプレイ装置に取付けられる設定キー(図示せず)によって発生する制御信号(図示せず)に応答してチューナ１１０が選択する放送チャンネルを変更したり、信号処理部１２０を制御して映像及び音声の特性を変らせる。また、制御部１５０は視聴者がＯＳＤ画面で指定したチャンネル情報に基づきチャンネル情報を再構成し、再構成されたチャンネル情報に基づき視聴者が放送チャンネルを選局できるようにする。
【００２２】
　望ましくは、信号処理部１２０は信号分離部１２１、音声信号処理部１２２、映像信号処理部１２３を有する。
【００２３】
　信号分離部１２１はチューナ１１０から印加される放送信号を映像信号と音声信号に分離する。音声信号処理部１２２は信号分離部１２１から分離された音声信号を入力にしてこれをプロセッシングした後、スピーカ１３０に出力する。映像信号処理部１２３は信号分離部１２１から分離された映像信号を入力にしてこれをプロセッシングした後、画面１３０に出力する。
【００２４】
　望ましくは、制御部１５０はマイコン１５１、チャンネル情報保存部１５２、ＯＳＤ表示部１５３を有する。
【００２５】
　マイコン１５１はリモコン装置(図示せず)や映像ディスプレイ装置に取付けられる設定キー(図示せず)で生成される制御信号(図示せず)に応答して、チューナ１１０、信号処理部１２０、及びＯＳＤ表示部１５３を制御する。また、マイコン１５１は視聴者がチャンネルを設定する際、チャンネル情報保存部１５２を制御してチャンネル情報保存部１５２に既に保存されたチャンネル情報をアップデートする。チャンネル情報保存部１５２がアップデートされる過程は追って詳述する。
【００２６】
　チャンネル情報保存部１５２はＡＴＭテーブルを保存し、ＡＴＭテーブルを用いてチャンネル設定を行なう時、保存されたＡＴＭテーブルをマイコン１５１に伝送する。参考に、ＡＴＭテーブルはＰＡＬ方式を使用するヨーロッパ地域でだけ運用される。
【００２７】
　ＯＳＤ表示部１５３はマイコン１５１の制御によって画面１４０に文字をディスプレイする。ＯＳＤ表示部１５３は画面にディスプレイされる文字に対応する所定のフォント(font)を内蔵し、マイコン１５１によって制御され保存されたフォントを画面に出力する。
【００２８】
　図５Ａと図５Ｂは本映像ディスプレイ装置がチャンネルを設定する過程を説明するためのＯＳＤ画面を示した図である。図示されたＯＳＤ画面はチャンネルメニュー２００、画質メニュー３００、サウンドメニュー４００、及びその他メニュー５００を有する。
【００２９】
　チャンネルメニュー２００はチャンネルを設定、例えばチャンネルの設定２１０、検索２２０、及び削除/記憶２３０する下位メニューを有する。視聴者がチャンネル設定のためにチャンネルメニュー２００を選択し、リモコン装置(図示せず)または設定キー(図示せず)に具備される移動キーでチャンネル設定メニュー２１０を選択すれば、図５Ｂに示したようなＯＳＤ画面が画面１４０にディスプレイされる。画面にディスプレイされたチャンネル設定メニュー２１０はチェックボックスメニュー２１１、放送チャンネル表示メニュー２１２、周波数表示メニュー２１３、及びチャンネル番号メニュー２１４を有する。
【００３０】
　放送チャンネル表示メニュー２１２はチャンネル情報保存部１５２に保存されたＡＴＭテーブルに基づきＯＳＤ画面に全てディスプレイされる。ディスプレイされる順序はチャンネル情報保存部１５２に既に保存された順序に従い、視聴者によってその名称が変更可能である。もし放送チャンネルの個数が多くて一つの画面に全てディスプレイできない場合、リモコン装置に取付けられたキーや設定キーによってページ単位でスクローリングされる。
【００３１】
　チェックボックスメニュー２１１は放送チャンネル表示メニュー２１２にディスプレイされた放送チャンネルを指定したり指定解除する。示されたＯＳＤ画面では０２チャンネル番号を有するＡＲＤ放送チャンネル、０４チャンネル番号を有するＺＤＦ放送チャンネル、及び１０番チャンネル番号を有するＫＡＢＥＬ放送チャンネルが指定されている。このような放送局指定はリモコン装置(図示せず)や本映像ディスプレイ装置に具備される設定キーによってなされる。例えば、リモコン装置に具備されるキーのうち一つまたは二つをチェックボックスメニュー２１１で特定放送局を選択したり選択解除するキーで指定でき、リモコン装置にチェックボックスメニュー２１１を選択したり選択解除する別のキーを具備するようにすることもできる。ここで、チェックボックスメニュー２１１を選択/選択解除するためにリモコン装置に具備されるキーを一つだけ指定する場合、このキーを一度押下すれば記憶、もう一度押下すれば削除の機能を有するようマイコン１５１をプログラミングすれば良く、キーが二つ指定される場合、一つは記憶、もう一つは削除の機能を有させるだけで良い。チェックボックスメニュー２１１によって選択されたチャンネルはマイコン１５１によってチャンネル情報保存部１５２に保存され、その後リモコン装置や設定キーで本映像ディスプレイ装置のチャンネルを切り換る時、これに基づきチャンネル切換を行なう。
【００３２】
　周波数表示メニュー２１３は放送チャンネル表示メニュー２１２の右側に位置し、表示された放送局の送出周波数を表示する。
【００３３】
　チャンネル番号メニュー２１４は放送チャンネルに対応するチャンネル番号を表示する。このようなチャンネル番号は通常視聴者がチャンネルを変更する際、通常画面１４０の右側または左側に表示され、視聴者によって任意の番号に変更できる。
【００３４】
　一方、マイコン１５１はチェックボックスメニュー２１１で放送局を指定する際、これに応答してチャンネル情報保存部１５２に保存されたチャンネル情報をアップデートする。同じくチェックボックスメニュー２１１で指定解除される場合もチャンネル情報保存部１５２をアップデートする。これにより視聴者がリモコン装置や設定キーで本映像ディスプレイ装置のチャンネルを切り換えようとする際、本映像ディスプレイ装置はチャンネル情報保存部１５２に保存されたチャンネル情報に基づき視聴者が設定したチャンネルだけにチャンネル切換がなされるようにする。すなわち、視聴者はリモコン装置や設定キーで放送チャンネル表示メニューの左側に位置するチェックボックスメニューを指定するだけでチャンネルを記憶/削除が可能である。また、１画面に指定可能な放送チャンネルメニュー及びそれに関わるメニュー(例えば、チェックボックスメニュー、チャンネル番号メニュー、周波数表示メニュー)が全てディスプレイされるため、放送チャンネルを指定し易く、その他のチャンネル設定(例えば、チャンネル番号変更)も容易である。
【００３５】
　図６は本発明に係る映像ディスプレイ装置のチャンネル設定方法の望ましい実施例による順序図である。
【００３６】
　まず、ＯＳＤ画面に放送チャンネル、放送チャンネルを選択するためのチェックボックスメニュー、放送チャンネルに対応するチャンネル番号及び周波数情報を映像ディスプレイ装置の画面にディスプレイする。この際、ＯＳＤ画面には前述した放送チャンネル、チェックボックス、チャンネル番号、及び周波数情報が１画面に全てディスプレイされるようにする(Ｓ１００)。次いで、視聴者は１画面に全てにディスプレイされたＯＳＤメニューを見て所望の放送チャンネルを選択する(Ｓ２００)。視聴者は１画面に全てディスプレイされた放送チャンネル及びそれによる付加メニュー(例えば、チャンネル番号及び周波数情報)を見て所望の放送チャンネルを選択できる。この際、チャンネル設定(例えば、チャンネル記憶/チャンネル削除、チャンネル情報変更)は放送チャンネルメニュー２１２の左側に位置するチェックボックスメニュー２１１を指定するだけで済む。これにより、視聴者はチャンネルを記憶/削除時、記憶/削除に関わるキーを押下し確認手続を経てチャンネル設定を行なわなくても良い。また、ＯＳＤ画面に放送チャンネル及びそれによるチャンネル情報が全てディスプレイされるため自分が指定したチャンネルを容易く把握できる。次いで、チェックボックスメニュー２１１に指定された放送チャンネル及びそれによるチャンネル情報(周波数情報、チャンネル番号)はマイコン１５１によってチャンネル情報保存部１５２にアップデートされる(Ｓ３００)。これにより、視聴者がチャンネル設定後、リモコン装置または設定キーを操作してチャンネルを切り換える時、チャンネル切換がチャンネル情報保存部１５２に保存された放送チャンネル及びそれによるチャンネル情報に基づきなされる(Ｓ４００)。これにより、１画面に指定可能な放送チャンネルが全てディスプレイされるため、放送チャンネルを指定するのに極めて簡便である。
【００３７】
　以上代表的な実施例を通して本発明について詳細に説明したが、本発明の属する技術分野において通常の知識を持つ者は前述した実施例について本発明の範疇から逸脱しない範囲で多様な変形が可能である。従って、本発明の権利範囲は説明された実施の形態に限られず、特許請求の範囲だけではなく本特許請求の範囲と均等な物によって定められるべきである。
【産業上の利用可能性】
【００３８】
　本発明は空中波放送信号、ケーブル放送信号、及び衛星放送信号のような放送信号を受信可能な映像ディスプレイ装置に適用できる。
【図面の簡単な説明】
【００３９】
【図１Ａ】従来のオートスキャニング方法を説明するためのＯＳＤ画面を示す。
【図１Ｂ】従来のオートスキャニング方法を説明するためのＯＳＤ画面を示す。
【図２】ＡＴＭテーブルの一例を示す。
【図３】図２に示したＡＴＭテーブルを用いてチャンネルを設定する方法を説明するための図である。
【図４】本発明に係る望ましい実施例を示すブロック概念図である。
【図５Ａ】本映像ディスプレイ装置がチャンネルを設定する過程を説明するためのＯＳＤ画面を示す。
【図５Ｂ】本映像ディスプレイ装置がチャンネルを設定する過程を説明するためのＯＳＤ画面を示す。
【図６】本発明に係る映像ディスプレイ装置のチャンネル設定方法の望ましい実施の形態を示す順序図である。
【符号の説明】
【００４０】
１１０　チューナ　　　　　　　　　　　　　 
１２０　信号処理部
１２１　信号分離部　　　　　　　　　　　　 
１２２　音声信号処理部
１２３　映像信号処理部　　　　　　　　　　 
１３０　スピーカ
１４０　画面　　　　　　　　　　　　　　　　 
１５０　制御部
１５１　マイコン　　　　　　　　　　　　　 
１５２　チャンネル情報保存部
１５３　ＯＳＤ表示部　　　　　　　　　　　 
２１１　チェックボックスメニュー
２１２　放送チャンネル表示メニュー　　　　
２１３　周波数表示メニュー
２１４　チャンネル番号メニュー
【図１Ａ】
2004129263.tif 000003
【図１Ｂ】
2004129263.tif 000004
【図２】
2004129263.tif 000005
【図３】
2004129263.tif 000006
【図４】
2004129263.tif 000007
【図５Ａ】
2004129263.tif 000008
【図５Ｂ】
2004129263.tif 000009
【図６】
2004129263.tif 000010